【手続補正書】
【提出日】平成16年2月23日(2004.2.23)
【手続補正１】
【補正対象書類名】明細書
【補正対象項目名】発明の名称
【補正方法】変更
【補正の内容】
【発明の名称】携帯情報蓄積装置を利用した施設利用支援システム、施設利用支援方法およびそれを記録した記録媒体


【手続補正２】
【補正対象書類名】明細書
【補正対象項目名】特許請求の範囲
【補正方法】変更
【補正の内容】
【特許請求の範囲】
【請求項１】
携帯情報蓄積装置を利用した施設利用支援方法において、
その携帯情報蓄積装置に対して、グループの登録をし、
施設内に設けられる携帯情報蓄積装置アクセス端末により、
その携帯情報蓄積装置を持つ者が、同じグループとしてグループ登録をした携帯情報蓄積装置を持つ他の者の行動を把握することを可能にすることを特徴とする携帯情報蓄積装置を利用した施設利用支援方法。
【請求項２】
前記携帯情報蓄積装置を持つ他の者の行動の把握が、
前記携帯情報蓄積装置アクセス端末の表示画面に、
その者の施設内の利用状況と利用時間が表示されることによりおこなえることを特徴とする請求項１記載の携帯情報蓄積装置を利用した施設利用支援方法。
【請求項３】
携帯情報蓄積装置を利用した施設利用支援方法において、
その携帯情報蓄積装置に対して、グループの登録をし、
施設内に設けられる携帯情報蓄積装置アクセス端末により、
同じグループとしてグループ登録をした携帯情報蓄積装置を持つ他の者とメッセージ交換をおこなえるようにすることを特徴とする携帯情報蓄積装置を利用した施設利用支援方法。
【請求項４】
前記携帯情報蓄積装置を持つ他の者とのメッセージ交換が、
前記携帯情報蓄積装置アクセス端末の表示画面に、動画、または静止画として表示され、
また、音声として伝えられることによりおこなうことを特徴とするクレーム３記載の携帯情報蓄積装置を利用した施設利用支援方法。
【請求項５】
前記携帯情報蓄積装置は、その施設の利用資格の券として、発券され、
そのときに、同時に発券された携帯情報蓄積装置に対して、同じグループとして登録することを特徴とする請求項１ないし請求項４記載のいずれかの携帯情報蓄積装置を利用した施設利用支援方法。
【請求項６】
前記携帯情報蓄積装置アクセス端末により、
その携帯情報蓄積装置に対して、グループの登録をおこなえることを特徴とする請求項１ないし請求項４記載のいずれかの携帯情報蓄積装置を利用した施設利用支援方法。
【請求項７】
携帯情報蓄積装置を利用した施設利用支援方法において、
施設内に設けられる携帯情報蓄積装置アクセス端末に、
その施設内の利用可能な個別施設と、
その携帯情報蓄積装置を持つ者の前記個別施設の利用履歴と、
その個別施設利用のための待ち時間とを表示することを特徴とする携帯情報蓄積装置を利用した施設利用支援方法。
【請求項８】
携帯情報蓄積装置を利用した施設利用支援方法において、
施設内に設けられる携帯情報蓄積装置アクセス端末により、
ユーザに好みの個別施設の条件を選択させ、
その条件に合致する施設内の個別施設を、その携帯情報蓄積装置アクセス端末に表示することを特徴とする携帯情報蓄積装置を利用した施設利用支援方法。
【請求項９】
携帯情報蓄積装置を利用した施設利用支援方法において、
その携帯情報蓄積装置は、その施設内の個別施設を利用するチケットとしての機能と、
また、施設内に設けられる個別施設において、現金の代用としての電子マネー機能とを有することを特徴とする請求項１ないし請求項８記載のいずれかの携帯情報蓄積装置を利用した施設利用支援方法。
【請求項１０】
携帯情報蓄積装置を利用した施設利用支援方法において、
施設内に設けられる携帯情報蓄積装置アクセス端末は、携帯情報蓄積装置の表面に印字する機能を有し、
その携帯情報蓄積装置により、その施設内の設備を利用したときに、利用したことの履歴を携帯情報蓄積装置の表面に印字することを特徴とする請求項９記載の携帯情報蓄積装置を利用した施設利用支援方法。
【請求項１１】
前記請求項１ないし請求項１０記載のいずれかの携帯情報蓄積装置を利用した施設利用支援方法を実行するコンピュータプログラムを記録する記録媒体。
【請求項１２】
携帯情報蓄積装置を利用した施設利用支援システムにおいて、
携帯情報蓄積装置アクセス端末と、
システム情報を管理するコンピュータとを有し、
前記携帯情報蓄積装置アクセス端末と、前記システム情報を管理するコンピュータは、通信回線で結ばれ、情報の授受が可能であって、
施設内に置かれる個別施設に対して、利用した者の携帯情報蓄積装置のグループコードと、利用時間を保持する手段を有し、
前記携帯情報蓄積装置アクセス端末にアクセスされた携帯情報蓄積装置と同じグループコードを持つ携帯情報蓄積装置を持つ者の前記施設内に置かれる個別施設の利用履歴を、その携帯情報蓄積装置アクセス端末に表示することを特徴とする携帯情報蓄積装置を利用した施設利用支援システム。
【請求項１３】
携帯情報蓄積装置を利用した施設利用支援システムにおいて、
携帯情報蓄積装置アクセス端末と、
システム情報を管理するコンピュータとを有し、
前記携帯情報蓄積装置アクセス端末と、前記システム情報を管理するコンピュータは、通信回線で結ばれ、情報の授受が可能であって、
施設内に置かれる個別施設に対して、利用した者の携帯情報蓄積装置のグループコードと、利用時間を保持する手段を有し、
前記携帯情報蓄積装置アクセス端末に、動画、もしくは、静止画、または、音声としてメッセージを保持することができ、
前記携帯情報蓄積装置アクセス端末から、同じグループに属する携帯情報蓄積装置を持つ者のメッセージを受け取ることができることを特徴とする携帯情報蓄積装置を利用した施設利用支援システム。
【請求項１４】
携帯情報蓄積装置を利用した施設利用支援システムにおいて、
携帯情報蓄積装置アクセス端末と、
システム情報を管理するコンピュータとを有し、
前記携帯情報蓄積装置アクセス端末と、前記システム情報を管理するコンピュータは、通信回線で結ばれ、情報の授受が可能であって、
施設内に置かれる個別施設に対して、その者の携帯情報蓄積装置を感知するセンサー機能により、その個別施設を利用する者の動向を把握する手段を有し、
その把握した結果により、前記携帯情報蓄積装置アクセス端末に、利用するときの待ち時間として表示することを特徴とする携帯情報蓄積装置を利用した施設利用支援システム。
【手続補正３】
【補正対象書類名】明細書
【補正対象項目名】００１２
【補正方法】変更
【補正の内容】
【００１２】
【課題を解決するための手段】
上記目的を達成するために、本発明の携帯情報蓄積装置を利用した施設利用支援方法に係る発明の第一の構成は、携帯情報蓄積装置を利用した施設利用支援方法において、その携帯情報蓄積装置に対して、グループの登録をし、施設内に設けられる携帯情報蓄積装置アクセス端末により、その携帯情報蓄積装置を持つ者が、同じグループとしてグループ登録をした携帯情報蓄積装置を持つ他の者の行動を把握することを可能にするようにしたものである。


【手続補正４】
【補正対象書類名】明細書
【補正対象項目名】００１３
【補正方法】変更
【補正の内容】
【００１３】
より詳しくは、上記携帯情報蓄積装置を利用した施設利用支援方法において、前記携帯情報蓄積装置を持つ他の者の行動の把握が、前記携帯情報蓄積装置アクセス端末の表示画面に、その者の施設内の利用状況と利用時間が表示されることによりおこなえるようにしたものである。


【手続補正５】
【補正対象書類名】明細書
【補正対象項目名】００１４
【補正方法】変更
【補正の内容】
【００１４】
上記目的を達成するために、本発明の携帯情報蓄積装置を利用した施設利用支援方法に係る発明の第二の構成は、携帯情報蓄積装置を利用した施設利用支援方法において、その携帯情報蓄積装置に対して、グループの登録をし、施設内に設けられる携帯情報蓄積装置アクセス端末により、同じグループとしてグループ登録をした携帯情報蓄積装置を持つ他の者とメッセージ交換をおこなえるようにするようにしたものである。


【手続補正６】
【補正対象書類名】明細書
【補正対象項目名】００１５
【補正方法】変更
【補正の内容】
【００１５】
より詳しくは、上記携帯情報蓄積装置を利用した施設利用支援方法において、前記携帯情報蓄積装置を持つ他の者とのメッセージ交換が、前記携帯情報蓄積装置アクセス端末の表示画面に、動画、または静止画として表示され、また、音声として伝えられることによりおこなうようにしたものである。


【手続補正７】
【補正対象書類名】明細書
【補正対象項目名】００１６
【補正方法】変更
【補正の内容】
【００１６】
また詳しくは、上記携帯情報蓄積装置を利用した施設利用支援方法において、前記携帯情報蓄積装置は、その施設の利用資格の券として、発券され、そのときに、同時に発券された携帯情報蓄積装置に対して、同じグループとして登録するようにしたものである。


【手続補正８】
【補正対象書類名】明細書
【補正対象項目名】００１７
【補正方法】変更
【補正の内容】
【００１７】
さらに詳しくは、上記携帯情報蓄積装置を利用した施設利用支援方法において、前記携帯情報蓄積装置アクセス端末により、その携帯情報蓄積装置に対して、グループの登録をおこなえるようにしたものである。


【手続補正９】
【補正対象書類名】明細書
【補正対象項目名】００１８
【補正方法】変更
【補正の内容】
【００１８】
上記目的を達成するために、本発明の携帯情報蓄積装置を利用した施設利用支援方法に係る発明の第三の構成は、上記携帯情報蓄積装置を利用した施設利用支援方法において、施設内に設けられる携帯情報蓄積装置アクセス端末に、その施設内の利用可能な個別施設と、その携帯情報蓄積装置を持つ者の施設の利用履歴と、その個別施設利用のための待ち時間とを表示するようにしたものである。


【手続補正１０】
【補正対象書類名】明細書
【補正対象項目名】００１９
【補正方法】変更
【補正の内容】
【００１９】
上記目的を達成するために、本発明の携帯情報蓄積装置を利用した施設利用支援方法に係る発明の第四の構成は、上記携帯情報蓄積装置を利用した施設利用支援方法において、施設内に設けられる携帯情報蓄積装置アクセス端末により、ユーザに好みの施設の条件を選択させ、その条件に合致する施設の個別施設を、その携帯情報蓄積装置アクセス端末に表示するようにしたものである。


【手続補正１１】
【補正対象書類名】明細書
【補正対象項目名】００２０
【補正方法】変更
【補正の内容】
【００２０】
より詳しくは、上記携帯情報蓄積装置を利用した施設利用支援方法において、その携帯情報蓄積装置は、その施設内の個別施設を利用するチケットとしての機能と、また、施設内に設けられる個別施設において、現金の代用としての電子マネー機能とを有するようにしたものである。


【手続補正１２】
【補正対象書類名】明細書
【補正対象項目名】００２１
【補正方法】変更
【補正の内容】
【００２１】
さらに詳しくは、上記携帯情報蓄積装置を利用した施設利用支援方法において、施設内に設けられる携帯情報蓄積装置アクセス端末は、携帯情報蓄積装置の表面に印字する機能を有し、その携帯情報蓄積装置により、その施設内の設備を利用したときに、利用したことの履歴を携帯情報蓄積装置の表面に印字するようにしたものである。


【手続補正１３】
【補正対象書類名】明細書
【補正対象項目名】００２２
【補正方法】変更
【補正の内容】
【００２２】
次に、本発明の携帯情報蓄積装置を利用した施設利用支援方法を実行するための記録媒体特許に関する構成は、ＦＤ、ＣＤ−ＲＯＭなどの記録媒体に、上記携帯情報蓄積装置を利用した施設利用支援方法のいずれかを実行するコンピュータプログラムを記録するようにしたものである。


【手続補正１４】
【補正対象書類名】明細書
【補正対象項目名】００２３
【補正方法】変更
【補正の内容】
【００２３】
次に、上記目的を達成するために、本発明の携帯情報蓄積装置を利用した施設利用支援システムに係る発明の第一の構成は、携帯情報蓄積装置を利用した施設利用支援システムにおいて、携帯情報蓄積装置アクセス端末と、システム情報を管理するコンピュータとを有し、前記携帯情報蓄積装置アクセス端末と、前記システム情報を管理するコンピュータは、通信回線で結ばれ、情報の授受が可能であって、施設内に置かれる個別施設に対して、利用した者の携帯情報蓄積装置のグループコードと、利用時間を保持する手段を有し、前記携帯情報蓄積装置アクセス端末にアクセスされた携帯情報蓄積装置と同じグループコードを持つ携帯情報蓄積装置を持つ者の前記施設内に置かれる個別施設の利用履歴を、その携帯情報蓄積装置アクセス端末に表示するようにしたものである。


【手続補正１５】
【補正対象書類名】明細書
【補正対象項目名】００２４
【補正方法】変更
【補正の内容】
【００２４】
上記目的を達成するために、本発明の携帯情報蓄積装置を利用した施設利用支援システムに係る発明の第二の構成は、携帯情報蓄積装置を利用した施設利用支援システムにおいて、携帯情報蓄積装置アクセス端末と、システム情報を管理するコンピュータとを有し、前記携帯情報蓄積装置アクセス端末と、前記システム情報を管理するコンピュータは、通信回線で結ばれ、情報の授受が可能であって、施設内に置かれる個別施設に対して、利用した者の携帯情報蓄積装置のグループコードと、利用時間を保持する手段を有し、前記携帯情報蓄積装置アクセス端末に、動画、もしくは、静止画、または、音声としてメッセージを保持することができ、前記携帯情報蓄積装置アクセス端末から、同じグループに属する携帯情報蓄積装置を持つ者のメッセージを受け取ることができるようにしたものである。


【手続補正１６】
【補正対象書類名】明細書
【補正対象項目名】００２５
【補正方法】変更
【補正の内容】
【００２５】
上記目的を達成するために、本発明の携帯情報蓄積装置を利用した施設利用支援システムに係る発明の第三の構成は、携帯情報蓄積装置を利用した施設利用支援システムにおいて、携帯情報蓄積装置アクセス端末と、システム情報を管理するコンピュータとを有し、前記携帯情報蓄積装置アクセス端末と、前記システム情報を管理するコンピュータは、通信回線で結ばれ、情報の授受が可能であって、施設内に置かれる個別施設に対して、その者の携帯情報蓄積装置を感知するセンサー機能により、その個別施設を利用する者の動向を把握する手段を有し、その把握した結果により、前記携帯情報蓄積装置アクセス端末に、利用するときの待ち時間として表示するようにしたものである。